(57)【要約】【課題】本発明は、外部装置が外れにくく、且つ構造が簡単である挟持装置を提供することを目的とする。【解決手段】本発明に係る挟持装置は、ベース、ベースの両側にそれぞれ設けられる一対の回転アーム及び２つの回転アームの間に設けられる係合部材を備え、各々の回転アームは、本体とそれぞれ本体の両端から互いに内側に向かって延伸する第一端部及び第二端部を備え、本体と第一端部及び第二端部との間には、外部装置の筐体の形状に対応する曲げ部が形成され、ベースに外部装置を位置決めする少なくとも１つの位置決め部が設けられ、回転アームの第一端部はベースに接続され且つベースに対して回転し、回転アームの第二端部は係合部材内に収容され、且つ係合部材に対して特定角度に回転し、係合部材は、レールと、前記レールの両端から垂直に、且つ下方に向かって延伸する連接部を備え、連接部の一端に回転アームの第二端部を収容する収容孔が設けられる。【選択図】図２
2012256891.tif 000002
【特許請求の範囲】
【請求項１】
外部装置を挟持し、ベースと、前記ベースの両側にそれぞれ設けられる一対の回転アームと、前記２つの回転アームの間に設けられる係合部材と、を、備える挟持装置であって、
前記各々の回転アームは、本体と、それぞれ前記本体の両端から互いに内側に向かって延伸する第一端部及び第二端部と、を備え、前記本体と前記第一端部及び前記第二端部との間には、前記外部装置の筐体の形状に対応する曲げ部が形成され、前記ベース上には、外部装置を位置決めする少なくとも１つの位置決め部が設けられ、前記回転アームの前記第一端部は前記ベースに接続され、且つ前記ベースに対して回転し、前記回転アームの前記第二端部は前記係合部材内に収容され、且つ前記係合部材に対して特定の角度に回転し、前記係合部材は、レールと、前記レールの両端から垂直に、且つ下方に向かって延伸する連接部と、を備え、前記連接部の一端には、前記回転アームの前記第二端部を収容する収容孔が設けられ、
前記外部装置を前記挟持装置に設置する際、前記外部装置の底端を前記位置決め部に位置決めし、前記回転アームを回転し、前記係合部材を前記外部装置の上方に位置するように設置し、前記係合部材を回転し、前記レール及び前記連接部を前記外部装置の側面に当接させることを特徴とする挟持装置。
【請求項２】
前記挟持装置は、さらに一対のサークリップを備え、前記ベースの両側には、穿孔がそれぞれ設けられ、前記回転アームの前記第一端部には、凹槽が設けられ、前記回転アームの前記第一端部を前記穿孔内に挿入し、前記サークリップを前記凹槽内に係合させることによって、前記第一端部を固定することを特徴とする請求項１に記載の挟持装置。
【請求項３】
前記挟持装置は、さらに一対のスリーブを備え、前記スリーブは、前記第一端部に係合され、且つ、前記穿孔の開口縁と前記第一端部との間の空隙を埋めるように設置され、前記回転アームを安定して回転させることを特徴とする請求項２に記載の挟持装置。
【請求項４】
前記第一端部から前記第二端部までの湾曲度は前記外部装置の厚さに対応することを特徴とする請求項１〜３の何れか一項に記載の挟持装置。
【請求項５】
前記係合部材は、ゴムなどのような可撓性材料からなることを特徴とする請求項１〜４の何れか一項に記載の挟持装置。
【発明の詳細な説明】
【技術分野】
【０００１】
本発明は、連接装置に関するものであり、特に挟持装置に関するものである。
【背景技術】
【０００２】
従来の大部分の挟持装置は、垂直方向に対しては外部装置が外れにくいが、別の方向に対しては外部装置が外れ易い。実際、どの方向からでも外れにくい挟持装置はあるが、その構造は非常に複雑であり、コストも高い。
【発明の概要】
【発明が解決しようとする課題】
【０００３】
以上の問題点に鑑みて、本発明は、外部装置が外れにくく、且つ構造が簡単である挟持装置を提供することを目的とする。
【課題を解決するための手段】
【０００４】
本発明に係る挟持装置は、外部装置を挟持し、ベースと、前記ベースの両側にそれぞれ設けられる一対の回転アームと、前記２つの回転アームの間に設けられる係合部材と、を、備え、前記各々の回転アームは、本体と、それぞれ前記本体の両端から互いに内側に向かって延伸する第一端部及び第二端部と、を備え、前記本体と前記第一端部及び第二端部との間には、前記外部装置の筐体の形状に対応する曲げ部が形成され、前記ベース上には、外部装置を位置決めする少なくとも１つの位置決め部が設けられ、前記回転アームの第一端部は前記ベースに接続され、且つ前記ベースに対して回転し、前記回転アームの第二端部は前記係合部材内に収容され、且つ前記係合部材に対して特定の角度に回転し、前記係合部材は、レールと、前記レールの両端から垂直に、且つ下方に向かって延伸する連接部と、を備え、前記連接部の一端には、前記回転アームの前記第二端部を収容する収容孔が設けられ、前記外部装置を前記挟持装置に設置する際、前記外部装置の底端を前記位置決め部に位置決めし、前記回転アームを回転し、前記係合部材を前記外部装置の上方に位置するように設置し、前記係合部材を回転し、前記レール及び前記連接部を前記外部装置の側面に当接させる。
【発明の効果】
【０００５】
従来の技術に比べて、本発明の挟持装置は、外部装置を安定して挟持することができるため、前記外部装置は前記挟持装置から外れにくく、その構造も簡単である。
【図面の簡単な説明】
【０００６】
【図１】本発明の実施形態に係る挟持装置の斜視図である。
【図２】図１に示す本発明の実施形態に係る挟持装置の背面から見た分解図である。
【図３】図１に示す本発明の実施形態に係る挟持装置のＩＩＩ−ＩＩＩ線に沿った断面図である。
【図４】図１に示す本発明の実施形態に係る挟持装置のＩＶ−ＩＶ線に沿った断面図である。
【図５】図１に示す本発明の実施形態に係る挟持装置を外部装置に設置する際の側面図である。
【図６】図１に示す本発明の実施形態に係る挟持装置を外部装置に設置した際の側面図である。
【図７】図１に示す本発明の実施形態に係る挟持装置を外部装置に設置した際の背面から見た斜視図である。
【発明を実施するための形態】
【０００７】
以下、図面を参照して、本発明の実施形態について説明する。
【０００８】
本発明の実施形態に係る挟持装置１は、携帯電話、電子書籍などのような外部装置２を挟持することに使用される。図１及び図２に示したように、前記挟持装置１は、ベース１０と、一対の回転アーム２０と、一対のサークリップ３０及び係合部材５０と、を備える。
【０００９】
前記ベース１０は、支持台座であり、且つ中空である。前記ベース１０の頂端には、上方に向かって突出する２つの位置決め部１２が設けられている。また、前記ベース１０の両側には、穿孔１３がそれぞれ設けられている。前記位置決め部１２は、１つの前記外部装置２の底端に設けられている孔（図示せず）に収容され、前記ベース１０と共に前記外部装置２を支持する。前記位置決め部１２の数量及びその構造は、本実施形態に限定されるものではなく、１つ又は複数であることもできる。例えば、凹槽などが形成されている他の前記外部装置２に位置決めできる構造であることもできる。
【００１０】
前記回転アーム２０は、前記ベース１０の両側にそれぞれ設けられる。各々の前記回転アーム２０は、上下方向に長い逆「コ」字状であり、本体２１と、前記本体２１の両端から互いに内側に向かってそれぞれ延伸し、且つ前記本体２１に垂直な第一端部２２及び第二端部２３と、を備える。前記本体２１と前記第一端部２２及び前記第二端部２３とは、円柱状であり、且つ前記本体２１と前記第一端部２２及び第二端部２３との間には、外部装置２の筐体の形状に対応する曲げ部２７がそれぞれ形成されている。また、前記第一端部２２には凹槽２４が設けられている。本実施形態において、前記第二端部２３の延伸方向には、半円柱状の末端２５が形成されている。前記末端２５は、ほぼ円柱状又は切欠口を持つ円柱状であることができる。
【００１１】
図３を参照すると、挟持装置１を組み立てる際、前記一対の回転アーム２０の前記第一端部２２を、前記ベース１０の両側に位置する穿孔１３内にそれぞれ挿入し、前記サークリップ３０を前記凹槽２４内に係合させる。これにより、前記第一端部２２を固定することができる。組み立て後の前記一対の回転アーム２０は、前記第一端部２２を中心軸として、前記ベース１０に対して回転することができる。
【００１２】
前記挟持装置１は、更に、一対のスリーブ４０を備えてもよい。この場合、前記スリーブ４０は、前記第一端部２２に係合され、且つ、前記穿孔１３の開口縁と前記第一端部２２との間を埋めるように配置されている。前記スリーブ４０のうち径方向外側に突出する突出部は、ベース１０のうち穿孔１３の開口縁部に係止されている。また、前記スリーブ４０は、先端がサークリップ３０に係止され、後端部が穿孔１３の開口縁に接触している。従って、前記回転アーム２０を更に安定して回転させることができる。
【００１３】
前記第二端部２３の前記末端２５は、前記係合部材５０に接続される。前記係合部材５０は、ゴムなどのような可撓性材料からなり、レール５１と、前記レール５１の両端から垂直に、且つ下方に向かって延在する連接部５２と、を備える。また、各々の前記連接部５２の一端には、収容孔５３がそれぞれ設けられている。
【００１４】
図４を併せて参照すると、前記回転アーム２０の前記第二端部２３の前記末端２５は、前記収容孔５３に収容され、前記第二端部２３を前記係合部材５０に対して特定の角度に回転させることできる。
【００１５】
図５に示すように、前記第一端部２２から前記第二端部２３までの湾曲度は、前記外部装置２の厚さに対応する。また、前記レール５１及び前記連接部５２の湾曲度によって、前記レール５１及び前記連接部５２を前記外部装置２の側面に緊密に当接させることができる。
【００１６】
図６及び図７に示すように、挟持装置１を使用する際、先ず前記ベース１０を直立させた後、前記外部装置２を直立させて、前記外部装置２の孔に前記ベース１０の前記位置決め部１２を収容する。次いで、前記回転アーム２０を回転させて、前記係合部材５０を前記外部装置２の上方に位置するように設置する。次いで、前記係合部材５０を回転し、前記係合部材５０を前記第二端部２３の前記末端２５に対して特定の位置まで回転させて、前記レール５１及び前記連接部５２を前記外部装置２の側面に当接させ、前記外部装置２に係合させる。これにより、前記挟持装置１は、前記外部装置２を安定して挟持することができるため、前記外部装置２は前記挟持装置１から外れにくく、且つその構造も簡単になる。また、前記係合部材５０は、可撓性材料からなるため、前記外部装置２を前記挟持装置１から取り外す際は、前記係合部材５０を外に向かって回転させることによって、前記外部装置２と分離させた後、前記外部装置２を前記ベース１０から引き抜けばよい。
【００１７】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１８】
１    挟持装置
２    外部装置
１０  ベース
１２  位置決め部
１３  穿孔
２０  回転アーム
２１  本体
２２  第一端部
２３  第二端部
２４  凹槽
２５  末端
２７  曲げ部
３０  サークリップ
４０  スリーブ
５０  係合部材
５１  レール
５２  連接部
５３  収容孔
【図１】
2012256891.tif 000003
【図２】
2012256891.tif 000004
【図３】
2012256891.tif 000005
【図４】
2012256891.tif 000006
【図５】
2012256891.tif 000007
【図６】
2012256891.tif 000008
【図７】
2012256891.tif 000009